(57)【要約】【課題】メンテナンス用機器を備えた消火栓装置において、消火栓開口部に臨む限られたスペースの中で、操作関連事項表示部用スペースを余分に用意しなくても済む消火栓装置を得る。【解決手段】上昇することで消火栓開口部１０ａを開口させる上昇扉５を備えた消火栓装置１において、該上昇扉５の下辺５ａに操作関連事項表示部６を取り付け、該操作関連事項表示部６を該上昇扉５の全開時に該上昇扉５の下辺５ａより該消火栓開口部１０ａに臨む位置に配置する。【選択図】  図１
2004305605.tif 000002
【特許請求の範囲】
【請求項１】
上昇することで消火栓開口部を開口させる上昇扉を備えた消火栓装置において、該上昇扉の下辺に操作関連事項表示部を取り付け、該操作関連事項表示部を該上昇扉の全開時に該上昇扉の下辺より該消火栓開口部に臨む位置に配置したことを特徴とする消火栓装置。
【請求項２】
該操作関連事項表示部と、消火栓装置内部に収納されるメンテナンス用機器とを、該上昇扉の全開時に両者が対向することとなる位置関係で配置したことを特徴とする請求項１記載の消火栓装置。
【請求項３】
該操作関連事項表示部を該上昇扉に対して移動可能としたことを特徴とする請求項１又は２記載の消火栓装置。
【発明の詳細な説明】
【０００１】
【発明が属する技術分野】
この発明は、消火栓装置に関するものであり、更に述べれば、操作関連の事項（例えば消火活動の際の消火栓操作の手順等）を表示した操作関連事項表示部を備えた消火栓装置に関する。
【０００２】
【従来の技術】
前記の如き操作関連事項表示部を備えた消火栓装置に関し、本件特許出願人は平成１１年特許願第２７８０５５号を出願し、同出願の内容は公開特許公報（特許文献１参照）により開示されている。同公報により開示された消火栓装置は、筐体の前傾扉の内面側に操作銘板を有する操作関連事項表示装置を備えた消火栓装置において、操作関連事項表示装置が、前傾扉を開けた際に操作銘板を前傾扉より起立させ、前傾扉を閉じた際に操作銘板を前傾扉に伏せさせる操作銘板の起伏手段を備えており、この装置によれば、操作銘板の位置決めが容易であり、又操作銘板を望ましい位置に設けることができ、更に消火栓装置の薄型化をすることができる、等の利点を得ることができる。
【０００３】
【特許文献１】特開２００１−９５９４２号公開特許公報
【０００４】
前記特許文献１により開示された消火栓装置は、消火栓開口部を前傾して開口させる前傾式の扉を備えたものを前提とするものであるが、消火栓開口部を開口させる扉としては前傾式のものの他にも上昇して消火栓開口部を開口させる上昇式のものが存在する。
【０００５】
この上昇式や他方式の扉を備えた消火栓装置においても、操作関連事項の表示部は、前記特許文献１に記載された前傾式の扉を備えた消火栓装置における操作関連事項の表示部と同様に、操作者にとって視認し易い位置にあることが望ましく、又、操作者の注意を引くという技術的意義があることから、操作関連事項の表示部は扉の開動作に連動するものであることが望ましい。
【０００６】
【発明が解決しようとする課題】
いずれの方式の消火栓装置においても、従来は、消火栓開口部に臨む各種機器の邪魔にならない位置に操作関連事項表示部を配置しようとすると、この表示部用のスペースが必要で、その分消火栓装置が大きめとなっていた。また、上昇式の扉を備えた消火栓装置においては、扉によって開口される開口部が一般に狭く、操作関連事項表示部を設けるのに十分なスペースがなく、操作者にとって視認し易い位置に配置するのが困難であった。
【０００７】
この発明は、上記事情に鑑み、メンテナンス用機器を備えた消火栓装置において、消火栓開口部に臨む限られたスペースの中で、操作関連事項表示部用スペースを余分に用意しなくても済む消火栓装置を得ることを目的とする。他の目的は、消火栓操作者にとって消火操作に関係する機器が見分け易く、視認し易い位置に配置された操作関連事項表示部を備えることで消火活動を速やかに正確に行える消火栓装置を得ることを目的とする。
【０００８】
【課題を解決するための手段】
上記目的を達成するこの発明について述べれば、それは、上昇することで消火栓開口部を開口させる上昇扉を備えた消火栓装置において、該上昇扉の下辺に操作関連事項表示部を取り付け、該操作関連事項表示部を該上昇扉の全開時に該上昇扉の下辺より該消火栓開口部に臨む位置に配置したことを特徴とする消火栓装置、である。
【０００９】
この発明においては、操作関連事項表示部は上昇扉の上昇に連れて上昇し、即ち操作関連事項表示部は上昇扉の開動作に連動し、上昇扉の全開時には上昇扉下辺より消火栓開口部に臨む位置、即ち操作者にとって視認し易い位置に位置にしていることとなる。
【００１０】
従って、この発明によれば、上昇式の扉を備えた消火栓装置であって、扉の開動作と連動するものでありつつ、操作者にとって視認し易い位置に配置された操作関連事項表示部を備えた消火栓装置を得ることができる。
【００１１】
更に、この発明によれば、操作関連事項表示部は、上昇扉の上昇とともに操作者の眼前を上昇していくこととなるので、操作者の注意を強く操作関連事項表示部に向けさせることができるので、操作関連事項表示部による操作者に対する消火活動時における操作手順等の案内を速やかに且つ確実に行うことができ、その案内に従うことで操作者は速やかに且つ確実に消火活動を行うことができる。
【００１２】
更にこの発明について述べれば、操作関連事項表示部と、消火栓装置内部に収納されるメンテナンス用機器とを、上昇扉の全開時に両者が対向することとなる位置関係で配置することで、上昇扉の全開時に、操作者から見て操作関連事項表示部をメンテナンス用機器の手前に重なるように配置したので、消火栓開口部に臨む限られたスペースの中で表示部用のスペースを余分に用意しなくて済み、スリムな消火栓装置が得られる。また、操作者から見てメンテナンス用機器を操作関連事項表示部の陰に隠すことができるので、消火活動時、操作者は、メンテナンス用機器即ち消火活動に際し操作不要な機器に目を奪われるということがなく、操作が必要な機器の選択を速やかに行うことができ、又操作者が不用意にメンテナンス用機器を操作することを防ぐことができる。
【００１３】
更にこの発明について述べれば、操作関連事項表示部を上昇扉に対して移動可能、例えば上昇扉の下辺への取り付け部を中心に消火栓装置の奥行き方向にこの表示部を傾動可能とすることで、消火栓装置のメンテナンス時においては、操作関連事項表示部を上昇扉に対して移動、例えば上昇扉の下辺の取り付け部を中心に消火栓装置の奥行き方向に傾動させれば、操作関連事項表示部がメンテナンス作業の邪魔になるのを防ぐことができる。
【００１４】
【発明の実施の形態】
この発明の実施の形態を添付図面に基づき説明する。尚、添付図面において、図１乃至３はそれぞれ、（ａ）が消火栓装置の正面図、（ｂ）が同装置の一部要素を側方から示した略図であり、図４は、消火栓装置の点検時における同装置の一部要素を側方から示した略図である。
【００１５】
図において、１は消火栓装置であり、その筐体１０の内部に、消火用ホース２、消火用ノズル３、図示しない消火栓弁の開閉レバー４等が収容されている。筐体１０には、その前面に消火栓開口部１０ａが形成されており、その消火栓開口部１０ａを上下に移動することで開閉する上昇扉５が設けられている。
【００１６】
上昇扉５は、常時においては、図３に示す様に、閉状態にされて消火栓開口部１０ａを閉じることができる様になっており、火災発生時等においては、図１及び図２示す様に、上方に移動、即ち開状態にされて、消火栓開口部１０ａを開口することができる様になっている。
【００１７】
この上昇扉５の下辺５ａには、操作関連事項表示部の一例としての消火時扱う機器の操作説明と手順を指示した操作銘板６が取り付けられている。この操作銘板６は、上昇扉５の裏面５ｂ側においてヒンジ６ａを介して下辺５ａよりぶら下がる様に取り付けられており、上昇扉５が全開状態にされたときに、図１に示す様に、上昇扉５の下辺５ａより消火栓開口部１０ａに臨む位置に配置されている。
【００１８】
前記の如く上昇扉５に取り付けられた操作銘板６は、上昇扉５の上昇に連れて上昇し、即ち上昇扉５の開動作に連動し、上昇扉５の全開時には上昇扉５の下辺５ａより消火栓開口部１０ａに臨む位置、即ち操作者にとって視認し易い位置に位置していることになり、又、その上昇に際しては操作者の眼前を上昇していくこととなるので、操作者の注意は操作銘板６に強く引かれることとなる。
【００１９】
更に、操作銘板６と、消火栓装置１内部に収納されるメンテナンス用機器、例えばメンテナンス弁７とは、図１に示す様に、上昇扉５の全開時において両者が対向する如き位置関係で配置されており、即ち、上昇扉５の全開時、メンテナンス弁７が操作者から見て操作銘板６の陰に隠れる位置関係で両者は配置されている。この様な位置関係で両者を配置することで、上昇扉５の全開時に、操作者から見てメンテナンス弁７を操作銘板６の陰に隠すことができる。言い換えると、操作者から見て操作銘板６をメンテナンス弁７の手前に重なるように配置したので、消火栓開口部１０ａに臨む限られたスペースの中で操作銘板６用のスペースを余分に用意しなくて済み、スリムな消火栓装置が得られる。
【００２０】
筐体１０内部の各種機器の配置に関して更に述べれば、筐体１０内には、消火活動時や点検時に操作される各種機器が集中して配置される操作部配置空間８が設けられており、この操作部配置空間８内において、点検時に操作されるメンテナンス用機器、例えばメンテナンス弁７等は空間８の上方に配置され、そのメンテナンス用機器の下方には消火活動時に操作される機器、例えば消火用ノズル３や消火栓弁の開閉レバー４等が配置されている。操作銘板６は、上昇扉５の全開時、操作部配置空間８に臨み、前述した様に操作部配置空間８の上方に配置されたメンテナンス弁７と対向する位置に配置されている。操作銘板６の下方に位置することとなる消火活動時に操作される消火用ノズル３や消火栓弁の開閉レバー４等の機器は、操作銘板６に指示された機器ごとの操作説明にそれぞれ対応して近接させ、且つ消火栓開口部１０ａに近接する位置、即ち操作者寄りに配置されるとともに、操作者にとって消火栓開口部１０ａ越しに全て視認可能な位置に配置されている。
【００２１】
従って、消火栓装置１により消火活動を行う操作者にとっては、上昇扉５を開けると、眼前を操作銘板６が上昇することから、操作銘板６に強く注意を引かれ、又操作銘板６が視認し易い位置にあることから、反射的にその指示内容を確認することができ、そして、操作すべき機器が操作銘板６の直下で且つ全てが視認し易い位置にあって操作銘板６の操作指示内容と操作対象の機器との対応関係を速やに理解し易いことから、又消火活動に際し操作不要なメンテナンス弁７等のメンテナンス用機器は操作銘板６の陰に隠れていてそれに目を奪われるということがないことから、操作銘板６の指示内容確認後、速やかに且つ正確に所要の操作を行うことができる。
【００２２】
更に操作銘板６について述べる。操作銘板６は、前述の通り、ヒンジ６ａを介して上昇扉５の下辺５ａに取り付けられており、そのヒンジ６ａを中心に筐体１０の奥行き方向に傾動可能、即ち移動可能となっている。
【００２３】
図２は操作銘板６を筐体１０の奥行き方向に傾動Ａ１させた状態を示しているが、同図に示す様に、操作銘板６を傾動させるとメンテナンス弁７は操作者にとって消火栓開口部１０ａ越しに視認可能な状態となる。従って、メンテナンス弁７を用いて消火栓装置１の点検作業を行う際には、操作者は操作銘板６を図２示した様に傾動させれば、メンテナンス弁７を目視により確認しつつ作業を行うことができる。
【００２４】
図４はメンテナンス弁７に放水点検装置２０を差し込んで点検する際の状態を示しているが、同図に示す様に、操作銘板６を傾動させて点検作業を行う様にすることで、操作銘板６がその作業の邪魔になるのを防ぐことができる。又、本実施の形態の様に、操作関連事項表示部を板体である操作銘板６とし、更にその操作銘板６を前述の如く傾動可能、即ち移動可能に設けることで、例えば放水点検装置２０をメンテナンス弁７に差し込んで点検をする際には、放水点検装置２０で操作銘板６を突き押すだけで操作銘板６は筐体１０の奥行き方向に傾動してメンテナンス弁７が視認可能な状態となるので、後は放水点検装置２０をメンテナンス弁７を目視により確認しつつメンテナンス弁７に差し込むことが可能である。そして、点検作業後は、放水点検装置２０を外せば、操作銘板６は自重により元に戻り、上昇扉５の下辺５ａよりぶら下がった状態となる。
【００２５】
上記実施形態では、操作銘板６は上昇扉５の下辺５ａにぶら下がり状態で奥行き方向に傾動可能即ち移動可能としたが、上昇扉５の下辺５ａに着脱可能としたり、横又は上にスライド可能なように構成し移動可能にして、点検作業を行うとき操作銘板６がその作業の邪魔にならないようにしてもよい。また、上記実施形態では、操作関連事項表示部が消火栓扉として上昇扉５に取り付けられているが、消火栓扉は横スライド式に構成されていてもよい。
【００２６】
【発明の効果】
この発明は上記の如く構成したので、操作関連事項表示部は上昇扉の上昇に連れて上昇し、即ち操作関連事項表示部は上昇扉の開動作に連動し、上昇扉の全開時には上昇扉下辺より消火栓開口部に臨む位置、即ち操作者にとって視認し易い位置に位置にしていることとなる。
【００２７】
従って、この発明によれば、上昇式の扉を備えた消火栓装置であって、扉の開動作と連動するものでありつつ、操作者にとって視認し易い位置に配置された操作関連事項表示部を備えた消火栓装置を得ることができる。
【００２８】
更に、この発明によれば、操作関連事項表示部は、上昇扉の上昇とともに操作者の眼前を上昇していくこととなるので、操作者の注意を強く操作関連事項表示部に向けさせることができるので、操作関連事項表示部による操作者に対する消火活動時における操作手順等の案内を速やかに且つ確実に行うことができ、その案内に従うことで操作者は速やかに且つ確実に消火活動を行うことができる。
【００２９】
更に、この発明によれば、操作関連事項表示部と、消火栓装置内部に収納されるメンテナンス用機器とを、上昇扉の全開時に両者が対向することとなる位置関係で配置することで、上昇扉の全開時に、操作者から見て操作関連事項表示部をメンテナンス用機器の手前に重なるように配置したので、消火栓開口部に臨む限られたスペースの中で表示部用のスペースを余分に用意しなくて済み、スリムな消火栓装置が得られる。また、操作者から見てメンテナンス用機器を操作関連事項表示部の陰に隠すことができるので、消火活動時、操作者は、メンテナンス用機器即ち消火活動に際し操作不要な機器に目を奪われるということがなく、操作が必要な機器の選択を速やかに行うことができ、又操作者が不用意にメンテナンス用機器を操作することを防ぐことができる。
【００３０】
更に、この発明について述べれば、操作関連事項表示部を上昇扉に対して移動可能、例えば上昇扉の下辺への取り付け部を中心に消火栓装置の奥行き方向にこの表示部を傾動可能とすることで、消火栓装置のメンテナンス時においては、操作関連事項表示部を上昇扉に対して移動、例えば上昇扉の下辺への取り付け部を中心に消火栓装置の奥行き方向に傾動させれば、操作関連事項表示部がメンテナンス作業の邪魔になるのを防ぐことができる。
【図面の簡単な説明】
【図１】この発明の消火栓装置の、（ａ）が正面図、（ｂ）が一部要素を側方から示した略図であり、上昇扉全開時の状態を示している。
【図２】同上の、上昇扉全開時であって、且つ操作銘板傾動時の状態を示している。
【図３】同上の、上昇扉全閉時の状態を示している。
【図４】この発明の消火栓装置の一部要素を側方から示した略図であり、上昇扉全開時であって、且つ操作銘板傾動時の状態で、更にメンテナンス弁に放出点検装置を差し込んだ状態を示している。
【符号の説明】
１      消火栓装置
２      消火用ホース
３      消火用ノズル
４      開閉レバー
５      上昇扉
５ａ    下辺
５ｂ    裏面
６      操作銘板
７      メンテナンス弁
８      操作部配置空間
１０    筐体
１０ａ  消火栓開口部
２０    放水点検装置
【図１】
2004305605.tif 000003
【図２】
2004305605.tif 000004
【図３】
2004305605.tif 000005
【図４】
2004305605.tif 000006